(57)【要約】【課題】従来の使い捨てのプリーツ型マスクは、着用した際に、鼻や口にプリーツが触れたり、隙間が多く、密着するとは言い難かった。また、見た目も良いとは言えなかった。【解決手段】  マスクを内側から見た時、半分から上部は折り山が下向き、半分から下部は折り山が上向きに、少なくとも上下２本ずつ以上プリーツが設けられたマスクにおいて、最上部のプリーツの中央部分を広げず裏返し、上向きにした状態で、マスク本体上部中央に熱溶着等にて接着し、また、最下部のプリーツも同様に、中央部分を広げず裏返し、下向きにした状態で、マスク本体下部中央に接着する。するとマスク中央と端では、プリーツの向きが逆になり、ねじれを起こしプリーツが立ち上がる。このねじれたプロペラ型プリーツが顔とマスクの隙間を塞ぎ鼻口の周囲の密着性を高める。【選択図】図２
2014176590.tif 000002
【特許請求の範囲】
【請求項１】
マスクを内側から見た時、半分から上部は折り山が下向き半分から下部は折り山が上向きに、少なくとも上下２本ずつ以上プリーツが設けられたマスクにおいて、最上部のプリーツの中央部分を広げず裏返し、上向きにした状態でマスク本体上部中央に熱溶着等にて接着し、また、最下部のプリーツも同様に、中央部分を広げず裏返し、下向きにした状態で、マスク本体下部中央に接着する。するとマスク中央と端では、プリーツの向きが逆になり、ねじれを起こしプリーツが立ち上がる。このねじれたプリーツを以後プロペラプリーツと称する。このプロペラプリーツを上下２本設けたことを特徴とするマスク。
【請求項２】
請求項２のマスクは請求項１のマスクにおいて、プロペラプリーツ（１１）（１２）の畳まれた内側に、ウレタン素材等の薄くて弾力のある補強材を貼り付けたことを特徴とするマスク。
【請求項３】
請求項３のマスクは、請求項１のマスクのプロペラプリーツを、上部にだけ使用したことを特徴とするマスク。
【請求項４】
請求項４のマスクは、請求項１のマスクの、プリーツを裏返して接着する方法を、あらかじめ付けられたシール等によって、使用者自身が接着することを特徴とするマスク。
【請求項５】
請求項５のマスクは、請求項１のマスクの、下部の縁取り中央に、ずり上がり防止と、フィット性を高めるために、幅５ｍｍ程度のダーツを設けたことを特徴とするマスク。
【発明の詳細な説明】
【技術分野】
【０００１】  本発明は、使い捨てプリーツ型マスクにおいて、プリーツのねじれからくる立ち上がりを利用した立体型密着マスクに関する。
【背景技術】
【０００２】  一般的なプリーツ型のマスクは、プリーツの両端を接着し、中央部が広がって、鼻口部分を覆う空間が前に膨らむようになっており、マスク上部には、マスクを顔にフィットさせる為に、ワイヤーが入っている物がほとんどである。
【先行技術文献】
【特許文献】
【特許文献１】特開２００１−３１４５２０
【特許文献２】特開２００１−２６９４１８
【特許文献３】特開２００９−２３３３０７
【発明の概要】
【発明が解決しようとする課題】
【０００３】  しかしながら、従来のプリーツ型マスクは、着用した際に、鼻や口にプリーツの山が触れて不快だったり、特にマスクの横の部分等に隙間が出来やすく、密着するとは言い難かった。また、見た目も良いとは言えなかった。【０００４】  本発明は、このような問題を解決するため、鼻ワイヤーをなくし、マスクが顔に接触する部分を減らし、隙間ができる部分を減らし、見た目もすっきりした、使い捨てのプリーツ型マスクを提供することを目的とする。
【課題を解決するための手段】
【０００５】上記の課題は、以下の手段により解決することができる。【０００６】  マスクを内側から見た時、半分から上部は折り山が下向き、半分から下部は折り山が上向きに、少なくとも上下２本ずつ以上プリーツが設けられたマスクにおいて、最上部のプリーツの中央部分を広げず裏返し、上向きにした状態で、マスク本体上部中央に熱溶着等にて接着する。また、最下部のプリーツも同様に、中央部分を広げず裏返し、下向きにした状態で、マスク本体下部中央に接着する。こうすることで、マスク中央と端では、プリーツの向きが逆になり、ねじれを起こし立ち上がったプロペラ型のプリーツ二本ができる。このプロペラ型プリーツを以後プロペラプリーツと称する。【０００７】  請求項２のマスクは請求項１のマスクにおいて、プロペラプリーツ（１１）（１２）の畳まれた内側に、ウレタン素材等の薄くて弾力のある補強材を貼り付けたことを特徴とするマスク。【０００８】  請求項３のマスクは、請求項１のマスクのプロペラプリーツを、上部にだけ使用したことを特徴とするマスク。【０００９】  請求項４のマスクは、請求項１のマスクの、プリーツを裏返して接着する方法を、あらかじめ付けられたシール等によって、使用者自身が接着することを特徴とするマスク。【００１０】  請求項５のマスクは、請求項１のマスクの、下部の縁取り中央に、ずり上がり防止と、フィット性を高めるために、幅５ｍｍ程度のダーツを設けたことを特徴とするマスク。
【発明の効果】
【００１１】  上部プロペラプリーツの部分で、鼻と顎の隙間、下部プロペラプリーツの部分で、顎と頬の間隙間を埋め、鼻口の周辺を小さな壁で取り囲むような形になるため、密着性が高くなり、鼻形ワイヤーは不要である。【００１２】  プロペラプリーツは広がらないので、プリーツとしての働きはないが、少ないプリーツを広げきった方が余分な出っ張りがなく、口元が広く使え快適である。【００１２】    プリーツが少ない分、コンパクトになるので、顎のラインがすっきり見える。【００１３】    プロペラプリーツを取り入れることにより、マスク本体の材料だけで（耳掛けゴム、請求項２、４を除く）立体密着が実現、高性能なのに、大量生産で安価で提供できるマスクができる。
【発明を実施するための形態】
本発明に係る実施例を添付した図面に従って説明する。
図２のプロペラプリーツマスクを着用すると、立ち上がったプリーツが、鼻から頬にかけて程よく隙間を埋めるように横切り、図４のように顔面にフィットし、鼻口の周囲を囲うように、小さな壁ができる。プリーツが少なく余分な出っ張りがないので、鼻口に接触することも少なく安定していて、付け心地がよい。
【実施例】
【図面の簡単な説明】
【図１】  プロペラプリーツを作る前の段階のプリーツ型マスク内側の平面図である。
【図２】  プロペラプリーツを２本作成した状態のプリーツ型マスク内側の平面図である。
【図３】  プロペラプリーツマスクの内側から見た概略斜視図である。
【図４】  マスク使用時に、プロペラプリーツが顔とマスクの間の隙間を塞いでいる状態を示したものである。
【符合の説明】
１…プリーツ型マスクにおける最上部プリーツ
２…プリーツ型マスクにおける最下部プリーツ
３…下向きプリーツ折り山
４…上向きプリーツ折り山
５…最上部プリーツ中央部分
６…最下部プリーツ中央部分
７…マスク本体上部中央
８…マスク本体下部中央
９…上部接着部
１０…下部接着部
１１…ねじれて立ち上がった上部プリーツ（プロペラプリーツ）
１２…ねじれて立ち上がった下部プリーツ（プロペラプリーツ）
縦じま部分・・・プロペラプリーツ
【図１】
2014176590.tif 000003
【図２】
2014176590.tif 000004
【図３】
2014176590.tif 000005
【図４】
2014176590.tif 000006